(57)【特許請求の範囲】
【請求項１】
複数枚の紙片が折り部を介して連接して折り重ね可能に設けられ、一つの紙片に、片面に隠蔽情報記入部を有する葉書が切り取り用ミシン目などの分離線から分離可能に設けられた葉書用シートにおいて、
剥離可能に貼着する貼着手段を備えてこの貼着手段が剥離紙で覆われた隠蔽ラベルを、該隠蔽ラベルの一辺を延設して前記貼着手段を表出させてなる綴じ部を介して前記葉書を備える紙片に隣接する紙片に綴じ合わせて、前記隠蔽ラベルを前記隠蔽情報記入部を覆う位置に配置し、前記隠蔽ラベルに前記分離線に対応する切り取り部を設けたことを特徴とする隠蔽ラベルを備えた葉書用シート。
【発明の詳細な説明】
【０００１】
【発明の属する技術分野】
本発明は葉書の隠蔽情報記入部を隠蔽することができるようにした葉書用シートに関するものである。
【０００２】
【発明が解決しようとする課題】
従来から銀行などの金融業者やデパートなどの大規模小売業者、通信販売業者などにおいて新サービスの案内や新商品の案内を顧客向けに行う場合、その新サービスや新商品の案内状とともに顧客側からの申込を受けるための葉書を併せて提供するようにしており、そして、その案内状と葉書とを組み合わせる手間を省くため、案内状自体に切り取り用ミシン目などを入れて葉書を分離可能にしたものが多く利用されるようになってきている。また、一般的に申し込みなどに用いる葉書には各種の個人情報を記載することから、葉書の送付途中などでこの情報が見られないように隠蔽することが望まれている。このような点から、前述した案内状などにおいても隠蔽部材を備え付けるようにしている。
【０００３】
図５と図６は葉書に記載した情報が隠蔽されるようにした隠蔽ラベルを備える葉書用シート１を示していて、この葉書用シート１は二枚の紙片２，３が折り部４を介して連接されて折り部４より折り重ね可能に設けられている。前記二枚の紙片２，３の内、一方の紙片２には、片面を隠蔽情報記入部５とした葉書６が切り取り用ミシン目などからなる分離線７を前記折り部４に沿って、また、下辺側の部分で紙片２の幅方向に入れることによって分離可能に設けられている。そして、隠蔽情報記入部５の折り部４側の辺部に沿って隠蔽ラベル８が綴じ合わされている。この隠蔽ラベル８は隠蔽情報記入部５を覆うことのできる大きさに形成されてその隠蔽情報記入部５の側辺部に綴じ合わせることで対応位置しており、裏面に設けた粘着剤からなる貼着手段９の一辺側を表出させて綴じ部１０とし、この綴じ部１０によって隠蔽情報記入部５の側辺部に綴じ合わせ、他の部分の貼着手段９は剥離紙１１で覆っている。前記貼着手段９は、葉書表面に対して剥離可能に貼着するようにその接着力が調整されている。
上記隠蔽情報記入部５に所要の情報を記載した後には、上記剥離紙１１を剥ぎ取って隠蔽ラベル８を貼着すればよく、この隠蔽ラベル８の貼着によって隠蔽情報記入部５が覆われる。そして、上記分離線７から葉書６を分離する。この状態で送付されて受取人側では前記隠蔽ラベル８を剥離して隠蔽情報記入部５に記載されている情報を見ることになる。
しかしながら、上記した葉書用シート１では、葉書６の隠蔽情報記入部５の側辺部に隠蔽ラベル８を綴じ合わせるためのスペースを必要とするために、隠蔽情報記入部５を大きくすることができないという問題がある。
そこで本発明は上記事情に鑑み、隠蔽ラベルで隠蔽情報記入部を覆うことができるようにしながら葉書側に隠蔽ラベルを取り付けるためのスペースを設けないようにすることを課題とし、葉書に広い隠蔽情報記入部を設けるようにすることを目的とする。
【０００４】
【課題を解決するための手段】
本発明は上記課題を考慮してなされたもので、複数枚の紙片が折り部を介して連接して折り重ね可能に設けられ、一つの紙片に、片面に隠蔽情報記入部を有する葉書が切り取り用ミシン目などの分離線から分離可能に設けられた葉書用シートにおいて、剥離可能に貼着する貼着手段を備えてこの貼着手段が剥離紙で覆われた隠蔽ラベルを、該隠蔽ラベルの一辺を延設して前記貼着手段を表出させてなる綴じ部を介して前記葉書を備える紙片に隣接する紙片に綴じ合わせて、前記隠蔽ラベルを前記隠蔽情報記入部を覆う位置に配置し、前記隠蔽ラベルに前記分離線に対応する切り取り部を設けたことを特徴とする隠蔽ラベルを備えた葉書用シートを提供して、上記課題を解消するものである。
【０００５】
【発明の実施の形態】
つぎに本発明を図１から図４に示す実施の形態に基づいて詳細に説明する。なお、図５と図６に示す従来例と構成が重複する部分は同符号を付してその説明を省略する。
図１、図２に示すように本発明の葉書用シート１において、葉書６の隠蔽情報記入部５を覆うようにして配置される上記隠蔽ラベル８は一辺が紙片３側に延設されていて、その延設部分の貼着手段９を上記剥離紙１１で覆うことなく表出させた綴じ部１０として設けており、この綴じ部１０を紙片３に貼着させることで隠蔽ラベル８が紙片３側に綴じ合わされている。このように隠蔽ラベル８の綴じ部１０を紙片３側に位置させていることから、葉書６の隠蔽情報記入部５は従来のようなラベル綴じ合わせ部分で制限されるということがなくなり、広い隠蔽情報記入部５を形成することができる。
また、上記隠蔽ラベル８は紙片２と紙片３との間をまたぐようになっているため、折り部４に沿った葉書６の分離線７に対応して切り取り用ミシン目などからなる切り取り部１２が設けられており、隠蔽情報記入部５に情報を記載する際にこの切り取り部１２から隠蔽ラベル８を紙片３側に折り返すこともできるようにしている。そして、後述するように隠蔽後に葉書６を分離する際には隠蔽ラベル８もこの切り取り部１２から分離するように設けられているものである。
【０００６】
隠蔽ラベル８を用いて隠蔽情報記入部５を隠蔽するには、隠蔽ラベル８をめくり上げて貼着手段９を覆っている剥離紙１１を剥ぎ取ってから元に戻すようにして隠蔽情報記入部５へ隠蔽ラベル８を被せるようにすればよく、図３と図４に示すように隠蔽ラベル８が貼着されて隠蔽情報記入部５が隠蔽される。隠蔽ラベル８は紙片３側に綴じ合わされて予め隠蔽情報記入部５に対応配置されているため、貼着時に位置合わせを行う必要はない。
この後、折り部４に沿った分離線７から葉書６を分離すればよく、隠蔽情報記入部５を覆う隠蔽ラベル８も切り取り部１２から分離するものであり、よって、隠蔽ラベル８で覆われた葉書６が得られる。
上記した隠蔽ラベル８は隠蔽層を有するラベル片の裏面に上記貼着手段を設けたものとして説明したが、本発明はこれに限定されるものではなく、隠蔽層を有する上ラベル片と裏面に前記貼着手段が設けられている透明な下ラベル片とが疑似接着された構成のものであてもよく、隠蔽ラベル８を貼着した後、上ラベル片を剥離することで下ラベル片を通して隠蔽情報記入部５に記載されている情報を見ることができるようにすることも可能である。図において１３は剥離紙１１の剥ぎ取りを容易にするためのカス上げである。
実施例においては葉書用シート１として二片の紙片２，３が連接されたものを示したが、本発明はこれに限定されるものではなく、三枚以上の紙片が連接されて折り重ねできるもの、例えば、葉書部分が内方となるように折り重ねられて封書を形成する封書用紙に実施することもできる。
【０００７】
【発明の効果】
以上説明したように、本発明によれば、複数枚の紙片が折り部を介して連接して折り重ね可能に設けられ、一つの紙片に、片面に隠蔽情報記入部を有する葉書が切り取り用ミシン目などの分離線から分離可能に設けられた葉書用シートにおいて、剥離可能に貼着する貼着手段を備えてこの貼着手段が剥離紙で覆われた隠蔽ラベルを、該隠蔽ラベルの一辺を延設して前記貼着手段を表出させてなる綴じ部を介して前記葉書を備える紙片に隣接する紙片に綴じ合わせて、前記隠蔽ラベルを前記隠蔽情報記入部を覆う位置に配置し、前記隠蔽ラベルに前記分離線に対応する切り取り部を設けたことを特徴とするものである。このように予め葉書の隠蔽情報記入部に対応して覆うことができるようにして隠蔽ラベルが配置されているので、隠蔽情報記入部に所要の情報を記載した後に、貼着手段を表出させて貼着するという簡単な操作により隠蔽でき、位置決めを行うことなく簡単に貼着が行える。
また、葉書側に隠蔽ラベルが綴じ合わされていないため、隠蔽情報記入部を大きく取ることができ、より多くの情報を記載できるようにその隠蔽情報記入部の拡大化が図り易くなるなど、実用性に優れた効果を奏するものである。
【図面の簡単な説明】
【図１】本発明に係る葉書用シートの実施の例を示すもので、（イ）は隠蔽情報記入部がある片面を貼着前の状態で示す説明図、（ロ）は貼着前の状態を断面で示す説明図である。
【図２】実施の例のもう一方の片面を示す説明図である。
【図３】隠蔽ラベルを貼着した状態を示す説明図である。
【図４】隠蔽ラベルを貼着した状態を断面で示す説明図である。
【図５】従来例を示すもので、（イ）は隠蔽ラベルの貼着前の状態を示す説明図、（ロ）は同じく貼着前の状態を断面で示す説明図である。
【図６】従来例において隠蔽ラベルを貼着した状態を示す説明図である。
【符号の説明】
１…葉書用シート  ２，３…紙片
４…折り部  ５…隠蔽情報記入部
６…葉書  ７…分離線
８…隠蔽ラベル  ９…貼着手段
１０…綴じ部  １１…剥離紙
１２…切り取り部
【図１】
0003707645.tif 000002
【図２】
0003707645.tif 000003
【図３】
0003707645.tif 000004
【図４】
0003707645.tif 000005
【図５】
0003707645.tif 000006
【図６】
0003707645.tif 000007